(57)【要約】      （修正有）【課題】灯油タンクからの送油管が切断されたり揺さぶられたりしたときに自動的にタンク出口のストップバルブを閉めることができるようにするために、ストップバルブの取っ手に取り付け異常を検出したときにバネの力で機械的に動作してストップバルブを閉め、灯油の流出を防ぐ機構を提案する。【解決手段】バルブの取っ手２を保持できる金具３とそれに直結してあるレバー４にバネ５をセットし、バネの力で押してストップバルブ１を閉にする位置をレバーの最終安定位置とし、バネの力に抗してレバーを回転させストップバルブの開の位置でレバーをフック１０で保持する。パイプの切断等を検出する手段としては送油管に沿って密着固定してあるスリーブ管内をバネで引張られたワイヤーを通し、ワイヤーが切断されたり、逆に引張られた折りに、その平衡位置からのずれを検出してレバーを止めているフックを解除する。【選択図】図１
0003120227.tif 000002
【実用新案登録請求の範囲】
【請求項１】
灯油タンクの油出口の既存のストップバルブにセットして、送油管が切断されたり、揺さぶられたりした時に自動的にバルブを閉める装置で、バルブの取っ手を挟み込んでバルブの取っ手を保持できるようになった５ｃｍ程の長さの金具に１０ｃｍ程の長さのレバーが直結してあり、レバーは回動できるが、レバーには回転を押さえるバネがセットしてあって、バネの力でストッパーに押し付けられるレバーの最終安定位置はバルブを閉にする位置にしてあり、その位置からバネの力に抗して約９０°回転させるとバルブは開の位置になるようになっており、開の位置にあるときレバーはフックで保持されて、バルブは開けたままにできるようになっており、緊急時にフックが外れるとバネに蓄えられた力でレバーが戻り、ストップバルブが閉の位置に自動的に戻るようになっている事を特徴とする油流出遮断装置。
【請求項２】
前記緊急時にフックを外す装置として、ほぼ１ｃｍの間隔で平行に置かれた長さ５ｃｍ、幅２ｃｍ程の固定板と可動板の２枚の板があり、可動板は支点に保持されて上下に動き、支点を介した反対側にはフックが取り付けられており、固定板と可動板との２枚の板に開けられた穴を貫通して直径５ｍｍ、長さ５ｃｍ程のバランス棒が通してあり、固定板の穴はバランス棒が該穴を軸として前後に約３０°動ける程度にバランス棒の直径より少し大きく、可動板の穴はバランス棒が上記範囲で動いたとき棒が触らない程度に大きく、かつバランス棒は固定板の上に約３ｃｍ突出しており、固定板から抜け落ちないように固定板の穴径より少し大きな径の鍔部を持ち、可動板を貫いたバランス棒の下部には可動板に開けられた穴径より大きな径の直径３ｃｍ程の底円盤が取り付けてあり、二枚の板間は弱いバネの力で押し広げられて、固定板と可動板はバランス棒の鍔部と底円盤にそれぞれ密着しており、バランス棒は棒の頂部を一端を固定されたバネの力で一方向に引張り、反対方向には頂部にくくり付けられたワイヤーで引張ってワイヤーの他端を固定してバランス棒は平衡を保って直立させてあり、ワイヤーが切られたり、さらに引張られたときにバランス棒は平衡位置からずれ、どちらかに傾く為バランス棒の底に取り付けてある底円盤も傾くので可動板を押し上げる働きをし、可動板の支点を介した反対側に付けてあるフックが下がるので、前記バルブに固定されているレバーが開放されバルブが閉の位置に来るようになっている事を特徴とする請求項１記載の油流出遮断装置。
【請求項３】
前述のレバーと可動板のフックとの間に、途中に支点を持って動く長さ５ｃｍと長さ１０ｃｍ程のＬ字型の伝達金具を介し、その支点の位置はレバーの近くに配し、レバーのバネで戻そうとする力を和らげてフックの上下動作をスムーズにする働きを持たせた事を特徴とする請求項１、２、記載の油流出遮断装置。
【請求項４】
灯油タンクからストップバルブを通して出ている送油管に、沿わせて、這わせた直径５ｍｍ程のスリーブ管を粘着テープ等で送油管に密着固定させ、前記スリーブ管の中を前述のバランス棒から延びているワイヤーを通しその先端を固定してある事を特徴とする請求項１、２、３記載の油流出遮断装置。
【請求項５】
灯油タンクからストップバルブを通して出ている送油管をひと回り径の大きなスリーブ管に通し、送油管とスリーブ管の間の隙間に前述のバランス棒から延びているワイヤーを通し、その先端を固定してある事を特徴とする請求項１、２、３記載の油流出遮断装置。
【考案の詳細な説明】
【技術分野】
【０００１】  ホームタンク等の灯油タンクからの送油管が切断されたり揺さぶられたりしたときに自動的にタンク出口のストップバルブを閉める装置に関する。
【背景技術】
【０００２】  寒冷地に於いては、冬期間は各家庭で大量の灯油を使用するので家庭ごとに５００リットルほどの灯油タンクを屋外に設置し、銅パイプの配管をタンクから伸ばし、地中を通して家屋内のボイラー等に灯油を送り込むようになっている。【０００３】  ところが最近悪質ないたずらにより銅パイプが切断されたり、引張られたりして配管が弛み灯油が流出する事故が頻繁に起こっている。【０００４】  これに対抗する為にパイプ全体を頑丈なカバーで包み込むなどの処置が取られているが充分に機能しているとは言えないのが現状である。
【考案の開示】
【考案が解決しようとする課題】
【０００５】  灯油タンクからの送油管が切断されたり揺さぶられたりしたときに自動的にタンク出口のストップバルブを閉めることができるように、力学的な力で動作してストップバルブを閉め灯油の流出を防ぐ機構を提案する。
【課題を解決するための手段】
【０００６】  灯油タンクのストップバルブの取っ手を挟み込んで保持できるようになった金具に直結してあるレバーにはバネがセットしてあり、バネの力で押し付けてあるレバーの最終安定位置はバルブを閉にする位置にしてあり、その位置からバネの力に抗して約９０°回転させるとバルブは開の位置に来るが、開の位置にあるときレバーはフックで保持されている。緊急時にフックが外れるとバネに蓄えられた力でレバーが戻り、ストップバルブが閉の位置に自動的に戻るようにする。【０００７】  前記緊急時にフックを外す装置として、ほぼ１ｃｍの間隔で平行に置かれた固定板と可動板の２枚の板があり、固定板と可動板との２枚の板に開けられた穴を貫通してバランス棒が通してあり、バランス棒は固定板の上に約３ｃｍ突出しており、可動板を貫いたバランス棒の下には可動板に開けられた穴径より大きな径の底円盤が可動板に接するようにに取り付けてあり二枚の板間は弱いバネの力で押し広げられて、可動板は底円盤に密着しており、バランス棒は棒の頂部をバネの力で一方向に引張り、反対方向には頂部にくくり付けられたワイヤーで引張ってワイヤーの他端を固定してバランス棒は平衡を保って直立させてある。【０００８】  ワイヤーが切られたり、引張られたときにバランス棒は平衡位置からずれ、どちらかに傾く為、バランス棒の底に取り付けてある底円盤もそれにつれて傾くので、可動板を押し上げる働きをする。それに伴い可動板の支点を介した反対側に付けてあるフックが下がるので、前記バルブに固定されているレバーが開放され、バルブが閉の位置に来るようになっている。【０００９】  灯油タンクからストップバルブを通して出ている送油管に、沿わせて、這わせたスリーブ管を粘着テープ等で送油管に密着固定させ、該スリーブ管の中を前述のバランス棒から延びているワイヤーを通しその先端を固定しておく。または、送油管の径よりひと回り大きな径のスリーブ管に送油管を通し、送油管とスリーブ管の間の隙間を前述のバランス棒から延びているワイヤーを通しその先端を固定しておく。
【考案の効果】
【００１０】  上記考案によれば、強力なワイヤーカッター等で送油パイプが切断されたり、また送油パイプがゆすられたり、引張られたりしたさいに、送油パイプに密着して這わせてあるワイヤーが切れたりあるいは引張られたりするために、フックを外す装置が作動してストップバルブを閉め、灯油が流出するのを防ぐ事ができる。バランス棒がどちらに傾いてもフックが外れるようになっているところが本考案の特徴である。
【考案を実施するための最良の形態】
【００１１】  灯油タンクに使用するので、危険性を考慮して電気を使用しないで、バネ等の力学的な力を利用して機械的な構造で且つ確実に動作するものが望ましい。既存のストップバルブを緊急時にバネの力を利用して閉められようにする為に、バルブの取っ手を保持できる金具とそれに直結してあるレバーにバネをセットし、バネの力で押してストップバルブを閉にする位置をレバーの最終安定位置とし、バネの力に抗してレバーを回転させストップバルブの開の位置でレバーをフックで保持する。パイプの切断等を検出する手段としては送油管に沿って密着固定してあるスリーブ管内をバネで引張られたワイヤーを通し他端を固定し、ワイヤーが切断されたり、逆に引張られた折りに、その平衡位置からのずれを検出してレバーを止めているフックを解除し、ストップバルブを閉にする。
【実施例】
【００１２】  本考案の実施例を図面に基づいて説明すると、図１は全体の構成を示す概念図でこれを収納するカバー等は省略してある。送油管に取り付けられたストップバルブ１の取っ手２を挟み込んで保持するバルブ保持金具３はレバー４に直結してあり詳細は図示してないがレバー用バネ５が軸に取り付けてあり、レバーがフックｂ２０から外れて自由になったときは、時計回りに廻ってストッパー６で止まるようになっている。これがレバーの最終安定位置でストップバルブの閉の位置に対応するようにしてある。【００１３】  ワイヤーに異変が起こったときフックを外す装置は図１の右の部分であるが、その部分を横から眺めたのが図２ａに示してある。ほぼ１ｃｍの間隔で平行に置かれた長さ５ｃｍ、幅２ｃｍ程の固定板７と可動板８の２枚の板があり、可動板は可動板支点９に保持されて上下に動き支点を介した反対側はフックａ１０が取り付けられており、固定板７と可動板８との２枚の板に開けられた穴を貫通して直径５ｍｍ、長さ５ｃｍ程のバランス棒１１が通してあり、固定板の穴はバランス棒が該穴を軸として前後に約３０°動ける程度にバランス棒の直径より少し大きく、可動板の穴１２はバランス棒が上記範囲で動いたとき棒が触らない程度に大きく、かつバランス棒は固定板７の上に約３ｃｍ突出しおており、固定板から抜け落ちないように固定板の穴径より少し大きな径の鍔部１３があり、可動板を貫いたバランス棒の下部には可動板に開けられた穴１２の径より大きな径の直径３ｃｍ程の底円盤１４が取り付けてあり、二枚の板間は弱い可動板用バネ１５の力で押し広げられて、固定板７と可動板８はバランス棒の鍔部１３と底円盤１４にそれぞれ密着している。【００１４】  バランス棒１１は棒の頂部を一端を固定されたバランス用バネ１６の力で一方向に引張られ、反対方向には頂部にくくり付けられたワイヤー１７で引張られてワイヤーの他端を固定してバランス棒は平衡を保って直立させてある。図２ｂに示すようにワイヤーが切られたり、より引張られたときにバランス棒１１は平衡位置からずれ、どちらかに傾く為バランス棒の底に取り付けてある底円盤１４も傾くので可動板８を押し上げる働きをし、可動板の支点９を介した反対側に付けてあるフックａ１０が下がる。【００１５】  前述のレバー４と可動板のフックａ１０との間に、途中に伝達金具の支点１８を持って動く長さ５ｃｍと１０ｃｍ程のＬ字型の伝達金具１９を介してある。その伝達金具の支点の位置はレバーの近くに配し、レバーのバネで戻そうとする力を和らげてフックａ１０の上下動作をスムーズにする機構を持たせた。フックａ１０が下がると伝達金具１９は自由に動けるようになるので、レバー４はレバー用バネ５の力でフックｂ２０を押して自らを解放するようになっている。勿論この装置全体は容易に開けられない容器に収納してある。【００１６】  油タンクからストップバルブを通して出ている送油管に、沿わせて這わせたスリーブ管を粘着テープ等で送油管に密着固定させ、該スリーブ管の中を前述のバランス棒から延びているワイヤー１７を通しその先端を固定しておく。スリーブ管としては密接巻きにした外形５ｍｍほどのバネが、螺旋状になった送油管に沿わせるのに都合よく、送油管に固定する際にも潰れにくく、且つその中を通すワイヤーが滑りやすいなどの長所がある。または、送油管の径よりひと回り大きな径のスリーブ管に送油管を通し、送油管とスリーブ管の間の隙間を前述のバランス棒から延びているワイヤーを通しその先端を固定しておのも良い。スリーブ管としては前例と同じく密接まきにしたバネが便利である。
【産業上の利用可能性】
【００１７】  以上説明したように、本考案の装置を灯油タンクに取り付けることにより、灯油タンクの送油パイプが切断されるなどのいたずらをされた場合に、灯油の流失を止める事ができる。
【図面の簡単な説明】
【００１８】
【図１】全体の構成を示す概念図
【図２】ａフックを外す装置を横から見た概念図  ｂワイヤーが切れたときの状態を示す概念図
【符号の説明】
【００１７】  １  ストップバルブ
２  バルブの取っ手
３  バルブ保持金具
４  レバー
５  レバー用バネ
６  ストッパー
７  固定板
８  可動板
９  可動板支点
１０  フックａ
１１  バランス棒
１２  可動板に開けられた穴
１３  鍔部
１４  底円盤
１５  可動板用バネ
１６  バランス用バネ
１７  ワイヤー
１８  伝達金具の支点
１９  伝達金具
２０  フックｂ
【図１】
0003120227.tif 000003
【図２】
0003120227.tif 000004
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
灯油タンクの油出口の既存のストップバルブにセットして、送油管が切断されたり、揺さぶられたりした時に自動的にバルブを閉める装置で、バルブの取っ手を挟み込んでバルブの取っ手を保持できるようになった５ｃｍ程の長さの金具に１０ｃｍ程の長さのレバーが直結してあり、レバーは回動できるが、レバーには回転を押さえるバネがセットしてあって、バネの力でストッパーに押し付けられるレバーの最終安定位置はバルブを閉にする位置にしてあり、その位置からバネの力に抗して約９０°回転させるとバルブは開の位置になるようになっており、開の位置にあるときレバーはフックで保持されて、バルブは開けたままにできるようになっており、緊急時にフックが外れるとバネに蓄えられた力でレバーが戻り、ストップバルブが閉の位置に自動的に戻るようになっている事を特徴とする油流出遮断装置。
【請求項２】
前記緊急時にフックを外す装置として、ほぼ１ｃｍの間隔で平行に置かれた長さ５ｃｍ、幅２ｃｍ程の固定板と可動板の２枚の板があり、可動板は支点に保持されて上下に動き、支点を介した反対側にはフックが取り付けられており、固定板と可動板との２枚の板に開けられた穴を貫通して直径５ｍｍ、長さ５ｃｍ程のバランス棒が通してあり、固定板の穴はバランス棒が該穴を軸として前後に約３０°動ける程度にバランス棒の直径より少し大きく、可動板の穴はバランス棒が上記範囲で動いたとき棒が触らない程度に大きく、かつバランス棒は固定板の上に約３ｃｍ突出しており、固定板から抜け落ちないように固定板の穴径より少し大きな径の鍔部を持ち、可動板を貫いたバランス棒の下部には可動板に開けられた穴径より大きな径の直径３ｃｍ程の底円盤が取り付けてあり、二枚の板間は弱いバネの力で押し広げられて、固定板と可動板はバランス棒の鍔部と底円盤にそれぞれ密着しており、バランス棒は棒の頂部を一端を固定されたバネの力で一方向に引張り、反対方向には頂部にくくり付けられたワイヤーで引張ってワイヤーの他端を固定してバランス棒は平衡を保って直立させてあり、ワイヤーが切られたり、さらに引張られたときにバランス棒は平衡位置からずれ、どちらかに傾く為バランス棒の底に取り付けてある底円盤も傾くので可動板を押し上げる働きをし、可動板の支点を介した反対側に付けてあるフックが下がるので、前記バルブに固定されているレバーが開放されバルブが閉の位置に来るようになっている事を特徴とする請求項１記載の油流出遮断装置。
【請求項３】
前述のレバーと可動板のフックとの間に、途中に支点を持って動く長さ５ｃｍと長さ１０ｃｍ程のＬ字型の伝達金具を介し、その支点の位置はレバーの近くに配し、レバーのバネで戻そうとする力を和らげてフックの上下動作をスムーズにする働きを持たせた事を特徴とする請求項１または２記載の油流出遮断装置。
【請求項４】
灯油タンクからストップバルブを通して出ている送油管に、沿わせて、這わせた直径５ｍｍ程のスリーブ管を粘着テープ等で送油管に密着固定させ、前記スリーブ管の中を前述のバランス棒から延びているワイヤーを通しその先端を固定してある事を特徴とする請求項１〜３のいずれか一項に記載の油流出遮断装置。
【請求項５】
灯油タンクからストップバルブを通して出ている送油管をひと回り径の大きなスリーブ管に通し、送油管とスリーブ管の間の隙間に前述のバランス棒から延びているワイヤーを通し、その先端を固定してある事を特徴とする請求項１〜３のいずれか一項に記載の油流出遮断装置。